(57)【特許請求の範囲】
【請求項１】
ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、
前記ベース部に略垂直に突設され、且つ鍵長手方向に平行な厚板状の支持体（７０）と、
前記支持体に設けられた支持体側係止部（１４）と、
前記支持体に設けられた中間係止部（７３、７４）と、
前記支持体に設けられ、前記回動支点部と係合して前記鍵を回動自在に支持可能な鍵支持部（７６）と、
前記鍵復帰用バネの一端部（６１）と他端部（６２）との間に設けた被係止部（６３）と、
前記鍵の本体（３０ｄ）に設けた鍵側係止部（３１）とを備え、
前記支持体側係止部に前記鍵復帰用バネの一端部を係止すると共に、前記中間係止部に前記鍵復帰用バネの被係止部を係止することで、前記鍵復帰用バネの他端部が自由端側となるように前記鍵復帰用バネを前記支持体に仮係止し、
その後、前記鍵復帰用バネの他端部を前記鍵側係止部に係止しつつ前記回動支点部を前記鍵支持部に係合させることで、前記中間係止部と前記鍵復帰用バネの被係止部とが非接触状態となって、前記支持体側係止部と前記鍵側係止部とにより前記鍵復帰用バネが湾曲保持された状態で、前記鍵の前記ベース部に対する組み付けが完了するように構成したことを特徴とする鍵盤装置。
【請求項２】
前記支持体に第１ガイド部（７５ａ）をさらに設け、前記回動支点部を前記鍵支持部に係合させる際、前記第１ガイド部により前記鍵の後端部（３０ｃ）がガイドされ得るように構成したことを特徴とする請求項１記載の鍵盤装置。
【請求項３】
前記鍵の本体に第２ガイド部（３３）をさらに設け、前記鍵復帰用バネの他端部を前記鍵側係止部に係止させる際、前記第２ガイド部により前記鍵復帰用バネの他端部がガイドされ得るようにすることで、前記第１ガイド部及び前記第２ガイド部が協働して、前記鍵を前記ベース部に対する組み付け完了位置に導くように構成したことを特徴とする請求項２記載の鍵盤装置。
【請求項４】
ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、
前記ベース部に略垂直に突設され、且つ鍵長手方向に平行な厚板状の支持体（７０）と、
前記支持体に一体に設けられた支持体側係止部（１４）と、
前記支持体に一体に設けられ、前記回動支点部と係合して前記鍵を回動自在に支持可能な鍵支持部（７６）と、
前記鍵の本体（３０ｄ）に設けた鍵側係止部（３１）とを備え、
前記支持体側係止部に前記鍵復帰用バネの一端部（６１）を係止し、前記鍵復帰用バネの他端部（６２）を前記鍵側係止部に係止して、さらに前記回動支点部を前記鍵支持部に係合させることで、前記支持体側係止部と前記鍵側係止部とにより前記鍵復帰用バネが湾曲保持された状態で、前記鍵を前記ベース部に対して組み付けたことを特徴とする鍵盤装置。
【請求項５】
ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、
前記ベース部に対して固定的に設けられた支持体側係止部（１４）と、
前記ベース部に対して固定的に設けられた中間係止部（７３、７４）と、
前記ベース部に対して固定的に設けられ、前記回動支点部と係合して前記鍵を回動自在に支持可能な鍵支持部（７６）と、
前記鍵復帰用バネの一端部と他端部との間に設けた被係止部（６３）と、
前記鍵の本体（３０ｄ）に設けた鍵側係止部（３１）とを備え、
前記支持体側係止部に前記鍵復帰用バネの一端部を係止すると共に、前記中間係止部に前記鍵復帰用バネの被係止部を係止することで、前記鍵復帰用バネを前記支持体に仮係止し、
その後、前記鍵復帰用バネの他端部を前記鍵側係止部に係止しつつ前記回動支点部を前記鍵支持部に係合させることで、前記中間係止部と前記鍵復帰用バネの被係止部とが非接触状態となって、前記支持体側係止部と前記鍵側係止部とにより前記鍵復帰用バネが両端部点接触にて湾曲保持された状態で、前記鍵の前記ベース部に対する組み付けが完了するように構成し、
前記鍵復帰用バネの仮係止状態では、前記鍵復帰用バネの鍵並び方向の位置が、前記支持体側係止部と前記中間係止部とにより規定される一方、前記鍵復帰用バネの湾曲保持状態では、前記鍵復帰用バネの鍵並び方向の位置が、前記支持体側係止部と前記鍵側係止部とにより規定されるように構成したことを特徴とする鍵盤装置。
【請求項６】
前記鍵復帰用バネの前記一端部及び前記他端部には、それぞれ、平面視凹状に切り欠き形成された第１凹部、第２凹部が設けられ、前記鍵復帰用バネの前記一端部を前記支持体側係止部に係止する際には、前記一端部の前記第１凹部が前記支持体側係止部に係止され、前記鍵復帰用バネの前記他端部を前記鍵側係止部に係止する際には、前記他端部の前記第２凹部が前記鍵側係止部に係止されることを特徴とする請求項１〜５記載の鍵盤装置。
【発明の詳細な説明】
【０００１】
【発明の属する技術の分野】
本発明は、鍵復帰用バネにより鍵に復帰力が与えられる鍵盤装置に関する。
【０００２】
【従来の技術】
従来、板バネ等の鍵復帰用バネの反力を利用して、押鍵された鍵に対する復帰力を得るようにした鍵盤装置が知られている。このような鍵盤装置では、鍵復帰用バネが押鍵に対して反力を発生し得るように、鍵と鍵復帰用バネとが互いに係合して鍵フレーム等のベース部に取り付けられる。
【０００３】
組み付け手法としては、鍵復帰用バネを予め鍵に仮付けしてから鍵を鍵復帰用バネと共にベース部に組み付ける手法や、鍵復帰用バネをベース部に仮付けしてから鍵をベース部に組み付ける手法等がある。
【０００４】
【発明が解決しようとする課題】
しかしながら、鍵復帰用バネを予め鍵に仮付けする手法では、鍵復帰用バネが鍵の下面側に仮付けされるのが通常であるため、鍵をベース部に組み付ける際、鍵復帰用バネが完全に隠れて、手探り状態となることから、鍵と鍵復帰用バネとを同時に正確な位置に取り付ける作業は容易でない。一方、鍵復帰用バネをベース部に仮付けする手法では、鍵を回動可能な状態に正確に組み付ける際に、鍵復帰用バネを仮付け状態から反力発生が可能な状態に同時に移行させなければならず、その作業を円滑に行って両者を確実に組み付けるのは容易でない。また、鍵復帰用バネを湾曲、あるいは曲げ癖を付けて仮付けする場合は、鍵復帰用バネの仮付け作業自体が容易でない。このように、従来の鍵盤装置では、鍵と鍵復帰用バネの両者を適切に組み付けるのが容易でないという問題があった。
【０００５】
また、鍵復帰用バネを保持する機構の寸法に、各鍵毎のばらつきがあると、鍵復帰用バネの反力に鍵毎の差が生じ、鍵間の鍵タッチが不均一となって所望のタッチ感が得られないという問題があった。さらに、鍵復帰用バネは鍵復帰用バネの端部を保持する部分を介してベース部に付勢力を常に与えるものであるため、その付勢力によってベース部に歪みが生じたり、あるいは経年変化による変位が生じたりして、鍵に対する復帰力に鍵間の差異や、長期的変化が生じると、鍵タッチに悪影響を与えるという問題があった。
【０００６】
さらに、鍵復帰用バネは、組み付け後の鍵操作時において、両端部の保持部との間で摺動音を発生させることがある。また、鍵が上下方向だけでなく鍵並び方向にも操作される鍵盤装置においては、鍵操作によって鍵復帰用バネが脱落したり、ずれて正確に機能しなかったりするおそれがある。その一方、これらを回避するため鍵復帰用バネの組み付け部分の構成を複雑化すると、組み付け容易性が犠牲になるという問題があった。
【０００７】
本発明は上記従来技術の問題を解決するためになされたものであり、その第１目的は、鍵及び鍵復帰用バネの組み付けを容易にすることができる鍵盤装置を提供することにある。
【０００８】
また、本発明の第２の目的は、鍵及び鍵復帰用バネの組み付けを容易にすると共に、複数鍵間の鍵タッチを設計段階で均一化容易で、且つ良好な鍵タッチを長期に亘って維持することができる鍵盤装置を提供することにある。
【０００９】
また、本発明の第３の目的は、鍵及び鍵復帰用バネの組み付けを容易にすると共に、鍵復帰用バネの鍵動作に対する追従性を向上させて、メカ音抑制及び複数鍵間の鍵タッチの均一化を図ることができる鍵盤装置を提供することにある。
【００１０】
【課題を解決するための手段】
上記第１の目的を達成するために本発明の請求項１の鍵盤装置は、ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、前記ベース部に略垂直に突設され、且つ鍵長手方向に平行な厚板状の支持体（７０）と、前記支持体に設けられた支持体側係止部（１４）と、前記支持体に設けられた中間係止部（７３、７４）と、前記支持体に設けられ、前記回動支点部と係合して前記鍵を回動自在に支持可能な鍵支持部（７６）と、前記鍵復帰用バネの一端部（６１）と他端部（６２）との間に設けた被係止部（６３）と、前記鍵の本体（３０ｄ）に設けた鍵側係止部（３１）とを備え、前記支持体側係止部に前記鍵復帰用バネの一端部を係止すると共に、前記中間係止部に前記鍵復帰用バネの被係止部を係止することで、前記鍵復帰用バネの他端部が自由端側となるように前記鍵復帰用バネを前記支持体に仮係止し、その後、前記鍵復帰用バネの他端部を前記鍵側係止部に係止しつつ前記回動支点部を前記鍵支持部に係合させることで、前記中間係止部と前記鍵復帰用バネの被係止部とが非接触状態となって、前記支持体側係止部と前記鍵側係止部とにより前記鍵復帰用バネが湾曲保持された状態で、前記鍵の前記ベース部に対する組み付けが完了するように構成したことを特徴とする。
【００１１】
この構成によれば、支持体側係止部に鍵復帰用バネの一端部を係止すると共に、中間係止部に鍵復帰用バネの被係止部を係止することで、鍵復帰用バネの他端部が自由端側となるように鍵復帰用バネが支持体に仮係止されるので、鍵復帰用バネを事前に曲げなくてよく、鍵復帰用バネの仮係止が簡単である。また、その後、鍵復帰用バネの他端部を鍵側係止部に係止しつつ回動支点部を鍵支持部に係合させることで、支持体側係止部と鍵側係止部とにより鍵復帰用バネが湾曲保持された状態で、鍵のベース部に対する組み付けが完了するように構成したので、鍵復帰用バネの仮係止状態から湾曲保持状態への移行が円滑で、仮係止後の鍵の組み付けも簡単である。例えば、仮係止状態において、鍵支持部の位置または自由端側となっている鍵復帰用バネの他端部の位置を目安として鍵を載置し、鍵を下方に押し込んでいけば、鍵支持部、鍵復帰用バネの他端部に、回動支点部、鍵側係止部が自然に係合し、鍵復帰用バネが湾曲保持されつつ鍵の組み付けが完了する。よって、鍵及び鍵復帰用バネの組み付けを容易にすることができる。
【００１２】
また、請求項２の鍵盤装置は、上記請求項１記載の構成において、前記支持体に第１ガイド部（７５ａ）をさらに設け、前記回動支点部を前記鍵支持部に係合させる際、前記第１ガイド部により前記鍵の後端部（３０ｃ）がガイドされ得るように構成したことを特徴とする。
【００１３】
この構成によれば、回動支点部を鍵支持部に係合させる際、支持体に設けた第１ガイド部により鍵の後端部がガイドされ得るので、簡単な動作にて回動支点部と鍵支持部とが確実に係合する。よって、鍵及び鍵復帰用バネの組み付けを一層容易にすることができる。
【００１４】
また、請求項３の鍵盤装置は、上記請求項２記載の構成において、前記鍵の本体に第２ガイド部（３３）をさらに設け、前記鍵復帰用バネの他端部を前記鍵側係止部に係止させる際、前記第２ガイド部により前記鍵復帰用バネの他端部がガイドされ得るようにすることで、前記第１ガイド部及び前記第２ガイド部が協働して、前記鍵を前記ベース部に対する組み付け完了位置に導くように構成したことを特徴とする。
【００１５】
この構成によれば、鍵復帰用バネの他端部を鍵側係止部に係止させる際、鍵の本体に設けた第２ガイド部により鍵復帰用バネの他端部がガイドされ得るようにすることで、第１ガイド部及び第２ガイド部が協働して、鍵をベース部に対する組み付け完了位置に導く。例えば、仮係止状態から両ガイド部にガイドされながら鍵が下方に押されていくことで、鍵が組み付け完了位置に自動的に変位していくので、組み付けが一層容易である。特に、第１ガイド部により鍵の後端部がガイドされ、第２ガイド部により鍵の本体がガイドされるので、両ガイド部が鍵の離間した部位（鍵の後端部と本体）をガイドすることから、ガイド性が良好である。よって、鍵及び鍵復帰用バネの組み付けを確実に且つ一層容易にすることができる。なお、両ガイド部を共に鍵後端部に設ける場合に比し構成が簡単で製造も容易である。
【００１６】
上記第２の目的を達成するために本発明の請求項４の鍵盤装置は、ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、前記ベース部に略垂直に突設され、且つ鍵長手方向に平行な厚板状の支持体（７０）と、前記支持体に一体に設けられた支持体側係止部（１４）と、前記支持体に一体に設けられ、前記回動支点部と係合して前記鍵を回動自在に支持可能な鍵支持部（７６）と、前記鍵の本体（３０ｄ）に設けた鍵側係止部（３１）とを備え、前記支持体側係止部に前記鍵復帰用バネの一端部（６１）を係止し、前記鍵復帰用バネの他端部（６２）を前記鍵側係止部に係止して、さらに前記回動支点部を前記鍵支持部に係合させることで、前記支持体側係止部と前記鍵側係止部とにより前記鍵復帰用バネが湾曲保持された状態で、前記鍵を前記ベース部に対して組み付けたことを特徴とする。
【００１７】
この構成によれば、支持体側係止部に鍵復帰用バネの一端部を係止し、鍵復帰用バネの他端部を鍵側係止部に係止して、さらに回動支点部を鍵支持部に係合させることで、支持体側係止部と鍵側係止部とにより鍵復帰用バネが湾曲保持された状態で、鍵がベース部に対して組み付けられるので、鍵及び鍵復帰用バネを容易に組み付けることができる。鍵復帰用バネの組み付け後は、支持体側係止部は、鍵復帰用バネから常に付勢され、さらには鍵側係止部を介して鍵支持部からも付勢される。ところが、支持体側係止部は、鍵長手方向に平行な厚板状の支持体に設けられ、支持体は、ベース部に略垂直に突設されているので、支持体は、鍵復帰用バネの反力を受ける方向に強い構成となっている。しかも鍵支持部及び支持体側係止部は、いずれも支持体に一体に設けられたので、鍵及び鍵復帰用バネを支持する部分が高い剛性を有すると共に、各鍵毎の寸法誤差が小さい。従って、バネ力によるベース部の撓みが抑制されるので、複数鍵間の鍵タッチが設計段階で均一化され、また、経年変化に強く、バネ力の変化が少ないので、良好な鍵タッチが長期に亘って維持される。よって、鍵及び鍵復帰用バネの組み付けを容易にすると共に、複数鍵間の鍵タッチを設計段階で均一化容易で、且つ良好な鍵タッチを長期に亘って維持することができる。
【００１８】
上記第３の目的を達成するために本発明の請求項５の鍵盤装置は、ベース部（１０）と、回動支点部（３６）を有し該回動支点部を中心に前記ベース部に対して回動自在にされた鍵（３０）と、該鍵に対して復帰力を与える鍵復帰用バネ（３２）とを備えた鍵盤装置において、前記ベース部に対して固定的に設けられた支持体側係止部（１４）と、前記ベース部に対して固定的に設けられた中間係止部（７３、７４）と、前記ベース部に対して固定的に設けられ、前記回動支点部と係合して前記鍵を回動自在に支持可能な鍵支持部（７６）と、前記鍵復帰用バネの一端部と他端部との間に設けた被係止部（６３）と、前記鍵の本体（３０ｄ）に設けた鍵側係止部（３１）とを備え、前記支持体側係止部に前記鍵復帰用バネの一端部を係止すると共に、前記中間係止部に前記鍵復帰用バネの被係止部を係止することで、前記鍵復帰用バネを前記支持体に仮係止し、その後、前記鍵復帰用バネの他端部を前記鍵側係止部に係止しつつ前記回動支点部を前記鍵支持部に係合させることで、前記中間係止部と前記鍵復帰用バネの被係止部とが非接触状態となって、前記支持体側係止部と前記鍵側係止部とにより前記鍵復帰用バネが両端部点接触にて湾曲保持された状態で、前記鍵の前記ベース部に対する組み付けが完了するように構成し、前記鍵復帰用バネの仮係止状態では、前記鍵復帰用バネの鍵並び方向の位置が、前記支持体側係止部と前記中間係止部とにより規定される一方、前記鍵復帰用バネの湾曲保持状態では、前記鍵復帰用バネの鍵並び方向の位置が、前記支持体側係止部と前記鍵側係止部とにより規定されるように構成したことを特徴とする。
【００１９】
この構成によれば、支持体側係止部に鍵復帰用バネの一端部を係止すると共に、中間係止部に鍵復帰用バネの被係止部を係止することで、鍵復帰用バネが支持体に仮係止されるので、鍵復帰用バネを事前に曲げなくてよく、鍵復帰用バネの仮係止が簡単である。また、その後、鍵復帰用バネの他端部を鍵側係止部に係止しつつ回動支点部を鍵支持部に係合させることで、支持体側係止部と鍵側係止部とにより鍵復帰用バネが両端部点接触にて湾曲保持された状態で、鍵のベース部に対する組み付けが完了するので、鍵復帰用バネの仮係止後の鍵の組み付けも簡単である。例えば、仮係止状態において、鍵支持部の位置または鍵復帰用バネの他端部の位置を目安として鍵を載置し、鍵を下方に押し込んでいけば、鍵支持部、鍵復帰用バネの他端部に、回動支点部、鍵側係止部が自然に係合し、鍵復帰用バネが湾曲保持されつつ鍵の組み付けが完了する。従って、バネの仮係止が簡単で、しかも仮係止から湾曲保持状態への移行が円滑なので、仮係止後の鍵の組み付けも容易である。また、鍵復帰用バネの仮係止状態では、鍵復帰用バネの鍵並び方向の位置が、支持体側係止部と中間係止部とにより規定される一方、鍵復帰用バネの湾曲保持状態では、鍵復帰用バネは、支持体側係止部と鍵側係止部とで両端部点接触にて保持されて、鍵復帰用バネの鍵並び方向の位置が、支持体側係止部と鍵側係止部とにより規定されるので、鍵復帰用バネの位置決めが確実になされるだけでなく、ビブラート等の効果付与のために鍵並び方向に鍵を操作する場合でも、鍵復帰用バネが鍵動作に追従して外れにくく、確実に機能することから、押鍵時のメカ音を抑制でき、鍵タッチも全鍵間で均一化容易である。よって、鍵及び鍵復帰用バネの組み付けを容易にすると共に、鍵復帰用バネの鍵動作に対する追従性を向上させて、メカ音抑制及び複数鍵間の鍵タッチの均一化を図ることができる。
【００２０】
【発明の実施の形態】
以下、本発明の実施の形態を図面を参照して説明する。
【００２１】
図１は、本発明の一実施の形態に係る鍵盤装置の鍵盤フレームの一部を示す平面図である。同図では、見やすくするために、後述するスイッチ基板４０を取り外した状態を示している。また、鍵盤は白鍵３０群及び黒鍵群でなるが、同図では、白鍵３０を１つだけ取り付けた状態を示している。なお、以下、鍵盤装置の奏者側を前方と称する。
【００２２】
鍵盤フレームは、メインフレーム１０（ベース部）とサブフレーム２０とがヒンジ部１で接続され一体に形成されて成る。本鍵盤装置は、押離鍵方向（上下方向）のほか、鍵並び方向の押鍵力を検出し、それを利用して多彩な楽音制御を実現するようにした装置であり、そのために、後述するように、サブフレーム２０がメインフレーム１０に対してヒンジ部１を介し鍵並び方向（鍵盤装置の左右方向）に相対的に移動可能に構成したものである。
【００２３】
後述するように、メインフレーム１０には鍵３０が組み付けられ、サブフレーム２０には、スイッチ基板４０、及び板バネとしての機能を果たす板状部材５０等が取り付けられる。
【００２４】
メインフレーム１０は、略全鍵幅に亘る長さに形成され、不図示の鍵盤楽器本体（例えば、楽器ケースや棚板等）に固定される。サブフレーム２０は、第１、第２、第３ブロック２０Ａ、２０Ｂ、２０Ｃが、連結部２０Ｚで連結されて構成される。同図には、第１、第２ブロック２０Ａ、２０Ｂのみが表されている。第１ブロック２０Ａは同図右側（奏者からみて左側）に配置され、第３ブロック２０Ｃは同図左側（奏者からみて右側）に配置される。第１ブロック２０Ａと第３ブロック２０Ｃとは、鍵並び方向における装置中央位置ＣＴを中心として左右対称に構成される。第２ブロック２０Ｂは装置中央に配置される。
【００２５】
メインフレーム１０とサブフレーム２０とは、６個のヒンジ部１（１Ａ〜１Ｆ、内１Ｄ〜１Ｆは図示せず）を介して接続され、これらが合成樹脂で金型により一体成型されて、鍵盤フレームが構成される。上記ヒンジ部１は、フレームの材質や設計思想により個数や厚みが適宜変更されてもよい。なお、本実施の形態では、端部近傍ではヒンジ数を密にし、中央部近傍では２〜３オクターブ分の鍵幅を２個のヒンジ部で支持するようにしている。
【００２６】
ヒンジ部１Ａは、メインフレーム１０の接続部位１０Ｐ１とサブフレーム２０の連結部２０Ｚの接続部位２０Ｐ１とを接続する。同様に、ヒンジ部１Ｂは、接続部位１０Ｐ２と接続部位２０Ｐ２とを接続し、ヒンジ部１Ｃは、接続部位１０Ｐ３と接続部位２０Ｐ３とを接続する。図示はしないが、ヒンジ部１Ｄ、１Ｅ、１Ｆは、装置中央位置ＣＴを中心としてそれぞれヒンジ部１Ｃ、１Ｂ、１Ａと略左右対称に同様に構成される。
【００２７】
鍵盤フレームは弾性のある合成樹脂で構成されるので、ヒンジ部１も弾性を有する。しかも、ヒンジ部１の鍵並び方向における厚みはメインフレーム１０やサブフレーム２０に比べれば非常に薄い。従って、サブフレーム２０とメインフレーム１０との間に、鍵並び方向における相対的な力が加わると、ヒンジ部１が撓むことで、両者は相対的に移動乃至揺動可能になる。この揺動は鍵３０の操作によって生じる。
【００２８】
図２は、鍵盤フレーム及びその周辺要素の（図１の右方からみた）側面図である。
【００２９】
後述するように、鍵３０は、その後端部３０ｃが鍵支持部７１に取り付けられ、回動支点部３６を中心に自由端部３０ｂが押離鍵方向に回動自在となるように組み付けられる。また、白鍵３０側とメインフレーム１０側との間には、復帰バネ３２（鍵復帰用バネ）が装着される。復帰バネ３２は、鍵３０を常に上方に付勢し、押鍵後に離鍵されると鍵３０を初期位置（非押鍵位置）に復帰させる。
【００３０】
鍵３０には２枚の垂下片３０ａが下方に延設されている。サブフレーム２０の連結部２０Ｚ前部には、キーガイド２３が各鍵３０に対応してサブフレーム２０と一体に形成されており、２枚の垂下片３０ａが僅かなクリアランスをもってキーガイド２３を挟むようにして鍵３０が配設される。
【００３１】
後述するように、鍵支持部７１は、ローリングが防止されるが、押離鍵方向及び鍵並び方向の揺動が許容される支点構造を有している。鍵３０の鍵並び方向の揺動は、基本的にはキーガイド２３によって抑制される。より正確には、鍵３０を鍵並び方向に揺動させると、その力がキーガイド２３を介してサブフレーム２０に伝わり、サブフレーム２０がメインフレーム１０に対して鍵並び方向に揺動することになる。なお、他の白鍵、黒鍵やそれらに対応するキーガイドについても同様に構成される。
【００３２】
サブフレーム２０には、上限ストッパ２２が設けられる。上限ストッパ２２は、各鍵３０毎に連結部２０Ｚの下面に固着され、鍵３０の垂下片３０ａを介して鍵３０の初期位置を規定する。サブフレーム２０にはまた、基板取り付け部２１（２１Ａ、２１Ｂ）を介してスイッチ基板４０が取り付けられている。スイッチ基板４０の上面には、押鍵スイッチ２が各鍵３０に対応して設けられている。押鍵スイッチ２は、鍵３０によって押下され押鍵操作を検出する。
【００３３】
サブフレーム２０の第１ブロック２０Ａには、鉄製で板状の板状部材５０が設けられる（図１参照）。板状部材５０には、下限ストッパホルダ５１が設けられる。下限ストッパホルダ５１には、略全鍵幅の全長を有するフェルト製の下限ストッパ５２が固着されている。
【００３４】
この下限ストッパ５２は、押鍵による鍵３０の正確な下限位置を規定するものではなく、板状部材５０の厚み方向の変位を許容するものであって、押鍵後のさらなる押鍵（アフタタッチ）力の程度に応じてさらに下方に変位可能に構成されている。
【００３５】
下限ストッパホルダ５１と鍵３０との間には、押離鍵方向の押鍵力成分を検出するための第１検出手段としてのセンサ５５が設けられる。図１、図２に示すように、サブフレーム２０の前部には取り付け台２６が取り付けられ、センサ５５は取り付け台２６に取り付けられている。センサ５５は、下限ストッパホルダ５１の上面に対向し、下限ストッパホルダ５１によりプリコンプレッションされた状態で取り付けられている。センサ５５は、例えばインダクタンス変化型の誘導起電力誘発型センサで構成される。センサ５５は、下限ストッパホルダ５１との距離の変化に応じた信号を出力し、これによってサブフレーム２０側と板状部材５０側との相対的変位が検出される。
【００３６】
図１に示すように、装置中央位置ＣＴ近傍には、アクチュエータ１３及びセンサ４３からなり鍵並び方向の押鍵力成分を検出するための第２検出手段が設けられる。
【００３７】
図１、図２に示すように、スイッチ基板４０の下面には、センサ取り付け部４２が下方に突設されている。センサ取り付け部４２は、サブフレーム２０に形成された長穴２０ｂ（図１参照）に不図示のネジで取り付けられ、鍵並び方向に位置調整が可能になっている。そしてこのセンサ取り付け部４２に、センサ４３が設けられている。図１に示すように、センサ４３は、アクチュエータ１３に対向しアクチュエータ１３によりプリコンプレッションされた状態で取り付けられる。センサ４３は、例えばインダクタンス変化型の誘導起電力誘発型センサであり、アクチュエータ１３に駆動されて鍵並び方向に出入りすることで、メインフレーム１０に対するサブフレーム２０の鍵並び方向の移動を検出する。これにより、鍵３０の鍵並び方向への鍵操作が検出される。
【００３８】
図３は、白鍵３０の後半部を斜め裏側からみた部分斜視図である。
【００３９】
白鍵３０の後端部３０ｃの上部には、後述する支持体７０の突部７５を逃がすための逃げ穴３４が形成される。後端部３０ｃの下部には、後述する支持体７０の第１ガイド部７５ａにガイドされるための溝部３５が形成される。後端部３０ｃにはまた、回動支点部３６が設けられる。回動支点部３６は凹状の球面部を有し、白鍵３０の片壁の内側面に設けられ、後述する凸状の球面部を有する回動支点受け部７６（鍵支持部）に対して嵌合的な形状に形成されている。
【００４０】
また、白鍵３０の本体３０ｄの略中央近傍には、バネ受け部３１（鍵側係止部）及び第２ガイド部３３が設けられる。バネ受け部３１及び第２ガイド部３３は、白鍵３０内部の幅方向略中央において白鍵３０と一体に側面視「くの字」状のリブで形成される。第２ガイド部３３は、バネ受け部３１から、後方にいくにつれて上方に傾斜した斜面となっている。
【００４１】
図４は、復帰バネ３２の平面図である。
【００４２】
復帰バネ３２は、金属により板状に形成される。復帰バネ３２の第１端部６１（一端部）には、半円状に切り欠いた第１半円部６１ａが形成される。また、第１半円部６１ａの左右両側には、係止片６１Ｌ／Ｒが形成される。一方、復帰バネ３２の第２端部６２（他端部）には、同様に半円状に切り欠いた第２半円部６２ａが形成される。また、復帰バネ３２の中央からやや第１端部６１寄りには、長手方向に長い長穴６３（被係止部）が設けられている。
【００４３】
図５は、支持体７０の構成を示す図である。同図（ａ）は平面図、同図（ｂ）は側面図をそれぞれ示す。
【００４４】
支持体７０は、メインフレーム１０の後部に垂直に突設される。支持体７０は、合成性樹脂で一体に形成され、全体が鍵長手方向に長い厚板状に構成される。支持体７０の後部には、鍵支持部７１が設けられる。鍵支持部７１の上部には、突部７５が形成され、突部７５の後部斜面は第１ガイド部７５ａになっている。第１ガイド部７５ａは、後方にいくにつれて下方に傾斜している。
【００４５】
鍵支持部７１は、片側に凸状の球面部を有する回動支点受け部７６が形成されると共に、反対側に半円筒部が形成された公知の鍵支点機構である。白鍵３０の後端部３０ｃを鍵支持部７１に取り付けたとき、回動支点受け部７６と回動支点部３６とが係合して、回動支点部３６を中心に自由端部３０ｂが押離鍵方向に回動自在となる。そして、前述したように、鍵支持部７１は、組み付けられた白鍵３０のローリングを防止するが、押離鍵方向及び鍵並び方向の揺動を許容する。
【００４６】
鍵支持部７１の前部には、バネ仮係止部７３及びバネ仮支持部７４が設けられる（中間係止部）。バネ仮係止部７３は、復帰バネ３２の長穴６３にちょうど嵌入する形状に形成され、前方にいくにつれて上方に傾斜している。バネ仮支持部７４は、バネ仮係止部７３のやや下方に形成され、復帰バネ３２を支える。
【００４７】
鍵支持部７１の中央からややバネ仮係止部７３寄りには、支持体側バネ係止部１４（支持体側係止部）が設けられる。支持体側バネ係止部１４は、半円筒状に形成され、復帰バネ３２の第１端部６１の第１半円部６１ａより小さい曲率半径を有する。支持体側バネ係止部１４の上方には、左右対称の２枚の補助係止片７２が設けられる。補助係止片７２は、支持体側バネ係止部１４に復帰バネ３２の第１半円部６１ａが係止されたとき、復帰バネ３２の係止片６１Ｌ／Ｒが上方に変位するのを防止し、復帰バネ３２の第１端部６１の係止状態を安定維持する。
【００４８】
かかる構成において、組み付け完成後は、奏者が鍵３０を押鍵すると、押鍵スイッチ２によりその押鍵操作が検出され、その検出信号に応じて不図示の音源回路、スピーカを介して楽音が発生する。
【００４９】
また、押鍵ストローク中または押鍵後に、奏者は鍵３０を鍵並び方向に揺動させる操作を行うことができる。鍵３０の鍵並び方向への力は、上述したようにセンサ４３で検出される。さらに、奏者は、押鍵ストローク後に鍵３０をさらに下方に押下することができる。上述したように、鍵３０の下方への力は、センサ５５により検出される。
【００５０】
センサ４３による検出信号及びセンサ５５による検出信号を、例えば、音色、音量、ピッチ、リバーブ、パン、ビブラート等に反映させて楽音を制御することで、アフターコントロール等をはじめ多彩な楽音制御が可能になる。これにより、演奏の幅を広げ表現力を豊かにすることができる。
【００５１】
詳細は後述するが、本実施の形態では、白鍵３０及び復帰バネ３２を組み付ける際、まず、復帰バネ３２をメインフレーム１０側に仮係止してから、白鍵３０を組み付ける。そして、白鍵３０の組み付けに伴って、復帰バネ３２も自動的に本係止状態となるように構成されている。なお、白鍵３０の組み付けは、１鍵ずつなされる。また、黒鍵及びそれに対応する復帰バネの組み付けについては、白鍵３０及び復帰バネ３２の場合と同様である。
【００５２】
復帰バネ３２の仮係止は次のようにしてなされる。すなわち、復帰バネ３２の第１端部６１の第１半円部６１ａを支持体側バネ係止部１４に係止させると共に、バネ仮係止部７３を復帰バネ３２の長穴６３に嵌入させる。すると、図５に示すように、復帰バネ３２の自重によって、バネ仮支持部７４を支点とした梃子（てこ）の原理で、第１端部６１が上方に変位しようとするが、係止片６１Ｌ／Ｒが補助係止片７２に当接することによって、その変位が規制される。
【００５３】
従って、簡単な操作にて、復帰バネ３２を、第２端部６２を自由端側とした仮係止状態にすることができる。また、第１半円部６１ａと、バネ仮係止部７３及びバネ仮支持部７４とによって、復帰バネ３２の姿勢が一義的に定まり、鍵並び方向の位置も規定される。
【００５４】
次に、復帰バネ３２の仮係止状態から白鍵３０を組み付ける動作を説明する。
【００５５】
図６〜図９は、白鍵３０の組み付け行程を示す側面図である。ただし、わかりやすくするため、白鍵３０の後半部は断面図で示している。また、取り付け台２６、センサ５５の図示は省略している。
【００５６】
まず、図６に示すように、第２端部６２が自由端側となった復帰バネ３２の仮係止状態において、白鍵３０を上方から載置する。すなわち、第１ガイド部７５ａの位置を目安として、溝部３５に第１ガイド部７５ａが嵌合するような位置に白鍵３０の後端部３０ｃをもっていき、それと同時に、２枚の垂下片３０ａがキーガイド２３を挟むようにして、白鍵３０を下方に下ろす。すると、垂下片３０ａの下部が下限ストッパ５２に当接し、溝部３５に第１ガイド部７５ａが当接する。そのとき、復帰バネ３２の第２端部６２は、第２ガイド部３３に自然に近接する。
【００５７】
この状態から、白鍵３０をやや後方に付勢しながら下方に押し込んでいくと、図７に示すように、溝部３５が第１ガイド部７５ａ上をスライドしていく。これにより、白鍵３０の後端部３０ｃが第１ガイド部７５ａによってガイドされる。それに並行して、復帰バネ３２の第２端部６２の第２半円部６２ａ（図４参照）が第２ガイド部３３に係合し始める。
【００５８】
この状態から、白鍵３０をさらに下方に押し込んでいくと、復帰バネ３２の第２半円部６２ａが第２ガイド部３３を摺動していき、図８に示すように、やがてバネ受け部３１に到達する。この状態になると、復帰バネ３２の第２端部６２がバネ受け部３１に係止された状態となり、第２端部６２は白鍵３０から外れない。また、溝部３５の第１ガイド部７５ａによるガイドが終わり、白鍵３０の後端部３０ｃが真っ直ぐ下方に沈み始める。なお、垂下片３０ａは、下限ストッパ５２から離間する。
【００５９】
この状態から、白鍵３０をさらに下方に押し込んでいくと、図９に示すように、白鍵３０の後端部３０ｃが鍵支持部７１に取り付けられる。すなわち、前述したように、支持体７０の回動支点受け部７６と白鍵３０の回動支点部３６とが嵌合係合して、回動支点部３６を中心に白鍵３０が回動自在となる。一方、復帰バネ３２の第１端部６１は支持体側バネ係止部１４に、第２端部６２はバネ受け部３１にそれぞれ係止された状態となっているので、白鍵３０が下方に変位することで、復帰バネ３２は白鍵３０側に凸となるように自然に湾曲する。その際、復帰バネ３２の長穴６３は、バネ仮係止部７３から抜ける。従って、復帰バネ３２はバネ仮支持部７４から上方に離間し、支持体側バネ係止部１４とバネ受け部３１とによって両端部点接触状態で湾曲支持される。これにより、白鍵３０の組み付けが完了すると共に、復帰バネ３２が適切な反力の発生が可能な状態で白鍵３０と同時に組み付けられる。
【００６０】
また、白鍵３０が組み付けられたとき、支持体７０の突部７５が白鍵３０の逃げ穴３４を貫通しやや上方に突出する。これにより、スペースの無駄が防止される。
【００６１】
本実施の形態によれば、支持体側バネ係止部１４に復帰バネ３２の第１端部６１を係止すると共に、バネ仮係止部７３に復帰バネ３２の長穴６３を係止することで、復帰バネ３２の第２端部６２が自由端側となるように復帰バネ３２が支持体７０に仮係止されるので、復帰バネ３２を事前に曲げなくてよく、復帰バネ３２の仮係止が簡単である。また、その後、復帰バネ３２の第２端部６２をバネ受け部３１に係止しつつ、支持体７０の回動支点受け部７６に白鍵３０の回動支点部３６を係合させることで、支持体側バネ係止部１４とバネ受け部３１とにより復帰バネ３２が湾曲保持された状態で、白鍵３０の支持体７０に対する組み付けが完了するので、復帰バネ３２の仮係止状態から湾曲保持状態への移行が円滑で、仮係止後の白鍵３０の組み付けも簡単である。すなわち、復帰バネ３２の仮係止状態において、第１ガイド部７５ａの位置を目安として白鍵３０を載置し、白鍵３０を下方に押し込んでいけば、回動支点受け部７６、第２端部６２にそれぞれ白鍵３０の回動支点部３６、バネ受け部３１が自然に係合し、復帰バネ３２が湾曲保持されつつ白鍵３０の組み付けが完了する。よって、鍵及び復帰バネの組み付けを容易にすることができる。
【００６２】
また、白鍵３０の組み付けの際、第１ガイド部７５ａにより白鍵３０の後端部３０ｃがガイドされるので、簡単な動作にて回動支点部３６が回動支点受け部７６と確実に係合する。さらに、第２ガイド部３３によって、復帰バネ３２の第２端部６２がガイドされてバネ受け部３１に係合するようにしたので、第２半円部６２ａがバネ受け部３１と確実に係合する。従って、第１ガイド部７５ａ及び第２ガイド部３３が協働して、白鍵３０及び復帰バネ３２をそれぞれの組み付け完了位置に導くので、組み付けが一層容易である。特に、第１ガイド部７５ａにより白鍵３０の後端部３０ｃがガイドされ、第２ガイド部３３により鍵の本体３０ｄに設けたバネ受け部３１がガイドされるので、両ガイド部が鍵の離間した部位をガイドすることから、ガイド性が良好である。よって、鍵及び復帰バネの組み付けを確実に且つ一層容易にすることができる。なお、両ガイド部を共に鍵後端部に設ける場合に比し構成が簡単で製造も容易である。
【００６３】
本実施の形態では、支持体７０の支持体側バネ係止部１４は、復帰バネ３２から常に付勢され、さらにはバネ受け部３１を介して鍵支持部７１からも付勢される。ところが、支持体側バネ係止部１４は、鍵長手方向に平行な厚板状の支持体７０に設けられ、支持体７０は、メインフレーム１０に略垂直に突設されているので、支持体７０は、復帰バネ３２の反力を受ける方向に強い構成となっている。しかも鍵支持部７１及び支持体側バネ係止部１４は、いずれも支持体７０に一体に設けられたので、白鍵３０及び復帰バネ３２を支持する部分が高い剛性を有すると共に、各鍵毎の寸法誤差が小さい。従って、バネ力によるメインフレーム１０の撓みが抑制されるので、複数鍵間の鍵タッチが設計段階で均一化され、また、経年変化に強く、バネ力の変化が少ないので、良好な鍵タッチが長期に亘って維持される。よって、鍵及び復帰バネの組み付けを容易にすると共に、複数鍵間の鍵タッチを設計段階で均一化容易で、且つ良好な鍵タッチを長期に亘って維持することができる。
【００６４】
本実施の形態によればまた、白鍵３０及び復帰バネ３２の組み付け完了状態では、復帰バネ３２は、支持体側バネ係止部１４とバネ受け部３１とによって両端部点接触状態で支持されて、復帰バネ３２の鍵並び方向の位置が、支持体側バネ係止部１４とバネ受け部３１とにより規定されるようにしたので、復帰バネ３２の位置決めが確実になされるだけでなく、ビブラート等の効果付与のために鍵並び方向に白鍵３０を操作する場合でも、復帰バネ３２が鍵動作に追従して外れにくく、確実に機能することから、押鍵時のメカ音を抑制でき、鍵タッチも全鍵間で均一化容易である。よって、鍵及び復帰バネの組み付けを容易にすると共に、復帰バネの鍵動作に対する追従性を向上させて、メカ音抑制及び複数鍵間の鍵タッチの均一化を図ることができる。
【００６５】
なお、本実施の形態では、メインフレーム１０とサブフレーム２０とが鍵並び方向に相対的に移動可能な構成を例示したが、このような構成に限定されるものではない。
【００６６】
なお、支持体７０のバネ仮係止部７３及びバネ仮支持部７４と、被仮係止部である復帰バネ３２の長穴６３との形状の組み合わせは、例示したものに限られない。
【００６７】
図１０は、支持体のバネ仮係止部乃至バネ仮支持部と、復帰バネの被仮係止部との他の組み合わせ例を示す部分外観図である。
【００６８】
例えば、復帰バネに、長穴６３に代えて同図（ａ）に示すような穴８１を設けると共に、支持体に、バネ仮係止部７３及びバネ仮支持部７４に代えて同図（ｂ）に示すような突起部８２及びバネ仮支持部８３を設けるようにしてもよい。あるいは、復帰バネに、長穴６３に代えて同図（ｃ）に示すような一対の切り欠き部８４を設けると共に、支持体に、同図（ｄ）に示すような溝部８５を設けるようにしてもよい。
【００６９】
なお、本実施の形態では、復帰バネ３２の仮係止状態では、自由端側となった第２端部６２が白鍵３０の前方を向くようにしたが、これに限るものでなく、これと逆の向きにしてもよい。
【００７０】
図１１は、復帰バネの仮係止時の方向を変えた他の例を示す図である。
【００７１】
上述した実施の形態では、後方から鍵支持部７１、支持体側バネ係止部１４、バネ仮係止部７３という順序に配設された。しかし、図１１に示す例では、これらに相当する要素が、後方から鍵支持部１７１、バネ仮係止部１７３、支持体側バネ係止部１１４という順序に配設される。そして、復帰バネ１３２の自由端部は、後方を向いている。なお、この構成の場合、鍵の組み付けに伴って復帰バネ１３２が自動的に湾曲保持されるようにするには、第１ガイド部７５ａに相当する第１ガイド部１７５ａは、前方に向かって下方に傾斜する斜面とし、鍵組み付け時には、鍵がやや前方に押されながら下方に押し込まれることで、鍵後端部が第１ガイド部１７５ａにガイドされるように構成すればよい。
【００７２】
なお、本実施の形態では、押離鍵方向の押鍵力成分を検出する第１検出手段及び鍵並び方向の押鍵力成分を検出する第２検出手段は、誘導起電力誘発型のセンサを用いるようにしたが、これらに限るものでなく、ホール素子、歪みゲージ等、他の検出機構を用いるようにしてもよい。その際、移動を検出するために、磁気、光、圧力等、利用するパラメータも限定されない。例えば、第１検出手段をホール素子を用いて構成する場合は、ホール素子を取り付け台２６に取り付け、磁石をホール素子に対向して下限ストッパホルダ５１に取り付ければよい。あるいは、ホール素子と磁石との取り付け位置をこれとは逆にしてもよい。
【００７３】
【発明の効果】
以上説明したように、本発明の請求項１に係る鍵盤装置によれば、鍵及び鍵復帰用バネの組み付けを容易にすることができる。
【００７４】
また、請求項２に係る鍵盤装置によれば、鍵及び鍵復帰用バネの組み付けを一層容易にすることができる。
【００７５】
また、請求項３に係る鍵盤装置によれば、鍵及び鍵復帰用バネの組み付けを確実に且つ一層容易にすることができる。
【００７６】
本発明の請求項４に係る鍵盤装置によれば、鍵及び鍵復帰用バネの組み付けを容易にすると共に、複数鍵間の鍵タッチを設計段階で均一化容易で、且つ良好な鍵タッチを長期に亘って維持することができる。
【００７７】
本発明の請求項５に係る鍵盤装置によれば、鍵及び鍵復帰用バネの組み付けを容易にすると共に、鍵復帰用バネの鍵動作に対する追従性を向上させて、メカ音抑制及び複数鍵間の鍵タッチの均一化を図ることができる。
【図面の簡単な説明】
【図１】  本発明の一実施の形態に係る鍵盤装置の鍵盤フレームの一部を示す平面図である。
【図２】  鍵盤フレーム及びその周辺要素の（図１の右方からみた）側面図である。
【図３】  白鍵の後半部を斜め裏側からみた部分斜視図である。
【図４】  復帰バネの平面図である。
【図５】  支持体の構成を示す平面図（同図（ａ））及び側面図（同図ｂ））である。
【図６】  白鍵の組み付け行程を示す側面図である。
【図７】  白鍵の組み付け行程を示す側面図である。
【図８】  白鍵の組み付け行程を示す側面図である。
【図９】  白鍵の組み付け行程を示す側面図である。
【図１０】  支持体のバネ仮係止部乃至バネ仮支持部と、復帰バネの被仮係止部との他の組み合わせ例を示す部分外観図である。
【図１１】  復帰バネの仮係止時の方向を変えた他の例を示す図である。
【符号の説明】
１０  メインフレーム（ベース部）、  １４  支持体側バネ係止部（支持体側係止部）、  ２０  サブフレーム、  ３０  白鍵、  ３０ｃ  後端部、  ３１  バネ受け部（鍵側係止部）、  ３２  復帰バネ（鍵復帰用バネ）、  ３３  第２ガイド部、  ３４  逃げ穴、  ３５  溝部、  ３６  回動支点部、  ６１  第１端部（一端部）、  ６１ａ  第１半円部、  ６１Ｌ／Ｒ  係止片、  ６２  第２端部（他端部）、  ６２ａ  第２半円部、  ６３  長穴（被係止部）、  ７０  支持体、  ７１  鍵支持部、  ７３  バネ仮係止部（中間係止部の一部）、  ７４  バネ仮支持部（中間係止部の一部）、  ７５ａ  第１ガイド部、  ７６  回動支点受け部（鍵支持部）
【図１】
0003716765.tif 000002
【図２】
0003716765.tif 000003
【図３】
0003716765.tif 000004
【図４】
0003716765.tif 000005
【図５】
0003716765.tif 000006
【図６】
0003716765.tif 000007
【図７】
0003716765.tif 000008
【図８】
0003716765.tif 000009
【図９】
0003716765.tif 000010
【図１０】
0003716765.tif 000011
【図１１】
0003716765.tif 000012